(57)【要約】【課題】ボタン型の電池の交換が容易にできるようにして、使い勝手を著しく高めた電池収納装置を提供することを目的としたものである。【解決手段】ボタン型の電池６を収納するとともに、この周囲のプラス電極、および底部のマイナス電極にそれぞれ弾着するプラス端子４、マイナス端子５を配置した上方開放状の収納部３を有し、この収納部３の上方開放部は、電池６を収納部３に保持する電池蓋９で閉じるようにし、電池蓋を外したとき、マイナス端子５の付勢力を介して電池６の所定量の浮き上がりを許容する係止部材８をさらに配設した。したがって、着脱時などにこの係止部材８で電池６が傾斜状態で保持されることとなる。【選択図】図２
2006139981.tif 000002
【特許請求の範囲】
【請求項１】
ボタン型の電池を収納するとともに、この電池周囲のプラス電極、および底部のマイナス電極にそれぞれ弾着するプラス端子、マイナス端子を配置した上方開放状の収納部と、この収納部の上方開放部を閉じ、電池を収納部に保持する電池蓋と、電池蓋を外したとき、マイナス端子の付勢力を介して電池の所定量の浮き上がりを許容する係止部材とを具備した電池収納装置。
【請求項２】
電池周壁の一部を着脱自在に保持する保持壁を収納部の開放縁部に形成して、電池蓋を外したときの電池の浮き上がりを傾斜状態となるようにした請求項１記載の電池収納装置。
【請求項３】
係止部材を変位自在に構成した請求項１記載の電池収納装置。
【請求項４】
係止部材を収納部にスライド自在に取着した請求項３記載の電池収納装置。
【請求項５】
収納部の孔を摺動自在に貫通する脚部を係止部材に設けるとともに、その脚部の先端には上記孔より大径なストッパーを形成した請求項４記載の電池収納装置。
【請求項６】
係止部材を可撓性材料で形成した請求項３または４記載の電池収納装置。
【請求項７】
電池の偏心位置に係止部材を対応させるとともに、この係止部材との距離が短い側にプラス端子を、距離が大きい側にマイナス端子の弾着点をそれぞれ位置させ、電池蓋を外したとき、傾斜した状態で電池が浮き上がるように設定した請求項１または２記載の電池収納装置。
【請求項８】
請求項１〜７いずれか１項記載の電池収納装置を備えた電子機器。
【発明の詳細な説明】
【技術分野】
【０００１】
本発明は、ボタン型の電池の収納装置、およびこの電池収納装置を備えたリモートコントローラ、携帯機器、アミューズメント機器などの電子機器に関するものである。
【背景技術】
【０００２】
従来のこの種ボタン型の電池の収納は、電子機器に収納ケースを出入自在に設けて、この収納ケースに電池を着脱自在に収納したもの（例えば、特許文献１参照）、或いは、プリント基板上に板ばねなどからなるプラス端子とマイナス端子を設け、上記プラス端子を電池外周部のプラス電極に、マイナス端子を電池底部のマイナス電極にそれぞれ弾着させたもの（例えば、特許文献２参照）があった。
【０００３】
図７，８は特許文献２に近い他の従来技術を示すもので、プリント基板５１上に固定された電気絶縁性の収納ケース５２の内周一側には板ばねなどからなるプラス端子５３が、反対側には係止片５４が、さらに底部には同じく板ばねなどからなるマイナス端子５５がそれぞれ設けてある。
【０００４】
ボタン型の電池５６は、先ずそれを斜めにして、プラス端子５３の上方を保護する保護壁５７の下方に挿入し、次いで、その挿入方向と反対側に変位して係止片５４の下方に係止することで取着される。
【０００５】
すなわち、プラス端子５３の付勢力で係止片５４への横方向の係止が保持され、また、マイナス端子５５の付勢力で保護壁５７および係止片５４による上方向の保持が図られるものである。
【０００６】
さらに、収納ケース５２の上方開放部を閉じる電池蓋５８には、電池５６を下方へ押圧する押圧部５９が形成してある。
【特許文献１】特開平６−２６７５２１号公報
【特許文献２】特開平８−２６４１６７号公報
【発明の開示】
【発明が解決しようとする課題】
【０００７】
しかしながら、出入自在な収納ケースを用いたものでは収納装置としてどうしても大型化し、ボタン型の電池を電源とする電気機器の特長を損なう。
【０００８】
また、特許文献２、および図７，８に示すものでは、電池装着時、すなわちマイナス端子の付勢力に打ち勝ちながら保護壁の下方に挿入し、次いで、その挿入方向と反対側に変位して係止片の下方に係止する必要があり、相当の操作力がいるものであった。しかも、
フラットな電池表面を介しての操作がしにくく、年寄りや、女性、また、爪の長い人にとっては極めて操作性の悪いものとなっていた。
【０００９】
本発明はこのような従来の課題を解決したもので、電池の着脱が容易な収納装置を提供することを目的とする。
【課題を解決するための手段】
【００１０】
上記の目的を達成するために本発明の電池収納装置は、ボタン型の電池を収納するとともに、この電池周囲のプラス電極、および底部のマイナス電極にそれぞれ弾着するプラス端子、マイナス端子を配置した上方開放状の収納部と、この収納部の上方開放部を閉じ、電池を収納部に保持する電池蓋と、電池蓋を外したとき、マイナス端子の付勢力を介して電池の所定量の浮き上がりを許容する係止部材とを具備ものである。
【００１１】
これによって、電池蓋を取り外したとき、ボタン電池の飛び出しがなく、加えて、電池の取付け、取外しを容易におこなうことができる。
【発明の効果】
【００１２】
本発明の電池収納装置は、小さな操作力で、しかも容易に電池の着脱ができ、電池を電源とする電子機器に応用した場合には、大いにその使い勝手を高めることができるものができる。
【発明を実施するための最良の形態】
【００１３】
第１の発明は、ボタン型の電池を収納するとともに、この電池周囲のプラス電極、および底部のマイナス電極にそれぞれ弾着するプラス端子、マイナス端子を配置した上方開放状の収納部と、この収納部の上方開放部を閉じ、電池を収納部に保持する電池蓋と、電池蓋を外したとき、マイナス端子の付勢力を介して電池の所定量の浮き上がりを許容する係止部材とを具備ものである。
【００１４】
このように、係止部材が電池の所定量の浮き上がりを許容するから操作がしやすく、しかも取外し時の不用意な飛び出しも阻止できる。
【００１５】
また、電池周壁の一部を着脱自在に保持する保持壁を収納部の開放縁部に形成して、電池蓋を外したときの電池の浮き上がりを傾斜状態となるように設定しておけば、特に電池の取り出しが一層容易となる。
【００１６】
電池の所定量の浮き上がりを許容する係止部材は変位自在に構成する。具体的には、係止部材を収納部にスライド自在に取着する。さらに述べると、収納部の孔を摺動自在に貫通する脚部を係止部材に設けるとともに、その脚部の先端には上記孔より大径なストッパーを形成すればよいし、別の形態としては、係止部材を可撓性材料で形成することも考えられる。
【００１７】
また、電池の偏心位置に係止部材を対応させるとともに、この係止部材との距離が短い側にプラス端子を、距離が大きい側にマイナス端子をそれぞれ位置させておくと、電池蓋を外したとき、確実に傾斜した状態で電池が浮き上がるようになる。
【００１８】
そして、これら電池収納装置を電子機器に応用することでその使い勝手を著しく向上できるものである。
【００１９】
以下、本発明の実施の形態について図面を参照しながら説明する。なお、この実施の形態によって本発明が限定されるものではない。
【００２０】
（実施の形態１）
図１〜４において、プリント基板１に設けられた電気絶縁性材料製の電池ケース２は上方開放状の収納部３を有するものである。そして、この収納部３の内周壁にはプラス端子４が、内底壁にはマイナス端子５がそれぞれ配置してある。
【００２１】
これらプラス端子４、およびマイナス端子５はばね材から形成してあり、したがって、収納部３にボタン型の電池６が収納された状態で、その周囲のプラス電極はプラス端子４に、底部のマイナス電極はマイナス端子５に各々弾着して電気的に接続されることとなる。
【００２２】
収納部３の開放縁一部であって、かつプラス端子４と対応する部位には電池６の一部を上方から保持する保持壁７が形成してある。
【００２３】
電池６の上面一部と対応するとともに、規制された距離範囲で上下動自在な係止部材８が、例えばプリント基板１に配設してある。そして、この係止部材８による電池６の係止位置は、その電池６の中心よりプラス端子４の方向へ偏心して設定されている。
【００２４】
一方、マイナス端子５は一方に遊端を有する構成であって、その遊端が係止部材８を基点としてプラス端子４の反対側に位置するようにしてある。
【００２５】
したがって、収納部３に収納されている電池６が自由状態にあるとき、マイナス端子５の付勢力を介して保持壁７を支点に傾斜状態に浮き上がった形となり、またその浮き上がり距離は係止部材８の上方変位量によって決定されるものである。
【００２６】
収納部３の上方開放部は電池蓋９で閉じられるもので、この下面には収納されている電池６を下方へ押圧して所定の収納位置に保持する押圧材１０が設けてある。マイナス端子５の付勢力によって電池ケース２から電池蓋９が外れないように、例えば、この電池蓋９は電池ケース２に対し螺合などの手段で固定しておくのが望ましい。
【００２７】
なお、上記プラス端子４、マイナス端子５はリード線１１，１２を介してプリント基板１の所定箇所に半田付けなどの手段で接続されている。
【００２８】
上記の構成において、図３は収納部３に電池６を収納している状態を示す。ここで電池６は、電池蓋９における押圧材１０の押圧作用と、マイナス端子５の弾性力で収納部３に確実に収納保持されている。
【００２９】
しかるに、今、電池蓋９を外すと、押圧材１０の押圧作用がなくなるため、図４のように、電池６は保持壁７を基点にマイナス端子５の弾性力で傾斜状態に浮き上がるように回動し、一部が収納部３より飛び出す形となる。この飛び出し量は係止部材８の上方変位量によって規制される。
【００３０】
その結果、電池６の取外しが容易にできるようになり、交換作業などの簡素化が図れるものである。
【００３１】
新しい電池６を取付ける場合は、マイナス端子５に弾接させつつこの電池６を傾斜させて係止部材８の下方をくぐらせ、周壁一部を保持壁７の下方に差し込む。ここで電池６は図４のように傾斜状に保持されることとなり、その後、電池蓋９を被せることで図３の収納状態とし得るものである。
【００３２】
本実施の形態１において重要な点は、上下変位自在な係止部材８を設けたところであり、電池６の取外し時には、図４のようにその電池６が傾斜状態で収納部３より所定量飛び出し、保持されることで、簡単に電池６の取外しができる。しかも装着時には電池６を傾斜させて係止部材８の下方をくぐらせ、その周壁一部を保持壁７の下方に差し込めばよいので、電池上面がフラットで滑るものであっても容易に作業ができる。
【００３３】
係止部材８の具体的な上下変位構成は、上下スライド方式、或いは、合成樹脂などでつくり、その可撓性を利用するものなどが考えられる。
【００３４】
（実施の形態２）
図５は上下スライド構成を示すもので、係止部材８の両側部に下方への脚部１３を一体形成し、これを電池ケース２の孔１４にスライド自在に貫通させたものである。脚部１３の先端には大径状のストッパー１５が形成してあって、電池ケース２が合成樹脂の場合にその弾性を利用してストッパー１５を孔１４に貫通させる。
【００３５】
この構成によれば、ストッパー１５が孔１４の下部孔縁に当たるまでの間、係止部材８の上下変位が自在となる。
【００３６】
（実施の形態３）
図６は同じく上下スライド構成を示すもので、係止部材８の両側部に下方への脚部１３を一体形成し、これを電池ケース２の孔１４にスライド自在に貫通させ、この脚部１３の先端にはストッパー１５が形成してあって、電池ケース２が合成樹脂の場合にその弾性を利用してストッパー１５を孔１４に貫通させたものである。加えて、係止部材８を板状として可撓性をもたせたものである。
【００３７】
この構成によれば、ストッパー１５が孔１４の下部孔縁に当たるまでの間、係止部材８を上下動でき、しかも係止部材８自体のその可撓性を利用した上下変位ができる。その結果、電池６の着脱がより一層容易にできることとなる。
【００３８】
このように本発明の実施の形態による電池収納装置によれば、電池の着脱が容易でその交換時などの作業性を高め、電池を電源とする電子機器に応用することでその使い勝手を大いに向上できるものである。
【産業上の利用可能性】
【００３９】
以上のように本発明にかかるボタン電池の収納装置は、係止部材の作用で容易にボタン型の電池の取り出しが可能となるので、同電池を利用した一般機器のほかに、お年寄り向けのセキュリティ端末などへ用途で幅広く適用できる。つまり、お年寄りだけの家庭での機器でも電池交換が容易に行える。
【図面の簡単な説明】
【００４０】
【図１】本発明の実施の形態１における電池収納装置の部分平面図
【図２】同電池収納装置の電池収納なし状態の部分断面図
【図３】同電池収納装置の電池を収納した状態の部分断面図
【図４】同電池収納装置の電池出入部状態を示す部分断面図
【図５】本発明の実施の形態２における電池収納装置の部分断面図
【図６】本発明の実施の形態３における電池収納装置の部分断面図
【図７】従来例の電池収納装置の部分平面図
【図８】同部分断面図
【符号の説明】
【００４１】
３  電池収納部
４  プラス端子
５  マイナス端子
６  電池
７  保護壁
８  係止部材
９  電池蓋
１３  脚部
１４  孔
１５  ストッパー
【図１】
2006139981.tif 000003
【図２】
2006139981.tif 000004
【図３】
2006139981.tif 000005
【図４】
2006139981.tif 000006
【図５】
2006139981.tif 000007
【図６】
2006139981.tif 000008
【図７】
2006139981.tif 000009
【図８】
2006139981.tif 000010